(57)【要約】【課題】通気性および採光性に優れる部屋構造を提供することを目的とする。【解決手段】部屋１を間仕切壁２によって仕切ることによって、前記部屋１内に、居室部３と収納部４と前記居室部３に連通し、かつ、該居室部３より小さい小部屋５とが設けられ、前記収納部４と小部屋５とは、開口部６ａを有する壁６によって隔てられ、前記小部屋５に面する壁１ａに、外部と連通する窓部７が設けられていることを特徴とする部屋構造。【選択図】図１
2006283466.tif 000002
【特許請求の範囲】
【請求項１】
部屋を間仕切壁によって仕切ることによって、前記部屋内に、居室部と収納部と前記居室部に連通し、かつ該居室部より小さい小部屋とが設けられ、
前記収納部と小部屋とは、開口部を有する壁によって隔てられ、
前記小部屋に面する壁に、外部と連通する窓部が設けられていることを特徴とする部屋構造。
【請求項２】
請求項１に記載の部屋構造において、
前記開口部は、前記壁の下端部から上端部まで達する縦長の開口部であることを特徴とする部屋構造。
【請求項３】
請求項１または２に記載の部屋構造において、
前記開口部と前記窓部とが対向して設けられていることを特徴とする部屋構造。
【請求項４】
請求項１〜３のいずれか一項に記載の部屋構造において、
前記間仕切壁および開口部を有する壁は天井に達しない高さに設定されていることを特徴とする部屋構造。
【請求項５】
請求項１〜４のいずれか一項に記載の部屋構造において、
前記壁の開口部には複数の棚板が上下に所定間隔で取り付けられていることを特徴とする部屋構造。
【発明の詳細な説明】
【技術分野】
【０００１】
本発明は、間仕切壁によって部屋が仕切られるとともに外部と連通する窓部が設けられた部屋構造に関する。
【背景技術】
【０００２】
近年住宅においては、その需要が従来の和式のものから洋式のものへと移行しつつあり、例えば寝室についても和室でなくベッドを備えた洋室の方がより求められるようになっている。ところで、このように寝室や居間などに洋室が多く採用されるに伴い、衣服等を収納するのにも従来のごとくタンスを室内に置くのでなく、予め収納スペースとしてクローゼットを室内に設けたいとの要望が多くなっている。
また、洋式の寝室の普及に伴い、従来の三面鏡などに代わって鏡と化粧台とを予め寝室の壁面に取付けた、いわゆるパウダーコーナーと呼ばれる化粧コーナーを寝室内に設けたいとの要望もあり、以上のような要望を取り入れたクローゼットが設けられた住宅が数多く提供されるようになっている（例えば、特許文献１参照）。
【特許文献１】特開平０７−３１０４４４号公報
【発明の開示】
【発明が解決しようとする課題】
【０００３】
ところで、特許文献１に記載のクローゼットユニットは、鏡や化粧台を設けた化粧室と、該化粧室に連通するクローゼットとを備えてなり、このクローゼットユニットの開口部を化粧室にのみ設け、該開口部にドアを設けた構成となっている。
また、このようなクローゼットユニットを備えた住宅は、前記化粧室とクローゼットとが他の空間に対して閉空間に形成されるとともに、他の空間に対して化粧室に設けたドアを介してのみ出入り可能な構成となっている。
【０００４】
ところが、以上のようなクローゼットユニットおよび住宅は、着替えや化粧を効率良く、しかもプライバシーが守られた状態で使用するために、他の空間に対して極端に閉じられた空間となっているため、風通しや日当たりが良くない場合があった。
このように、風通しや日当たりが良くない場合、例えば、クローゼットに収納しておく衣類等の除湿が円滑に行われないため好ましくなかった。
【０００５】
本発明の課題は、通気性および採光性に優れる部屋構造を提供することを目的とする。
【課題を解決するための手段】
【０００６】
請求項１に記載の発明は、例えば図１に示すように、部屋１を間仕切壁２によって仕切ることによって、前記部屋１内に、居室部３と収納部４と前記居室部３に連通し、かつ該居室部３より小さい小部屋５とが設けられ、
前記収納部４と小部屋５とは、開口部６ａを有する壁６によって隔てられ、
前記小部屋５に面する壁１ａに、外部と連通する窓部７が設けられていることを特徴とする。
【０００７】
請求項１に記載の発明によれば、前記窓部７を開放することで、外部からの空気が前記小部屋５を通過し、該小部屋５と連通する前記居室部３と、開口部６ａを通じて前記収納部４とに流入するようになっているので、風通しが良く、部屋１全体の通気性を向上させることができる。特に、前記収納部４にも外部からの空気が流入するため、前記収納部４に衣類等を収納する際に円滑に除湿を行うことが可能となる。
また、前記窓部７から前記小部屋５に向けて差し込む日光が、前記開口部６ａを通じて前記収納部４へと届くようになるので、該収納部４の採光性を向上させることが可能となる。
【０００８】
請求項２に記載の発明は、例えば図２に示すように、請求項１に記載の部屋構造において、
前記開口部６ａは、前記壁６の下端部から上端部まで達する縦長の開口部６ａであることを特徴とする。
【０００９】
請求項２に記載の発明によれば、前記開口部６ａが、前記壁６の下端部から上端部まで達する縦長の開口部６ａであることから、外部からの空気が該開口部６ａを介して前記収納部４へ流入しやすく、該収納部４の通気性を向上させることが可能となる。
また、外部から差し込む日光が、前記開口部６ａを通じて前記収納部４へと届くようになるので、該収納部４の採光性を向上させることが可能となる。
【００１０】
請求項３に記載の発明は、例えば図１または２に示すように、請求項１または２に記載の部屋構造において、
前記開口部６ａと前記窓部７とが対向して設けられていることを特徴とする。
【００１１】
請求項３に記載の発明によれば、前記開口部６ａと前記窓部７とが対向して設けられているので、前記窓部７を開放することで、外部からの空気が前記小部屋５を通過し、前記開口部６ａを通じて前記収納部４に流入するようになるので、風通しが良く、該収納部４の通気性を向上させることが可能となる。しかも、前記窓部７から差し込む日光が前記開口部６ａを通じて前記収納部４へと確実に届くようになるので、該収納部４の採光性をさらに向上させることが可能となる。
【００１２】
請求項４に記載の発明は、例えば図２および図３に示すように、請求項１〜３のいずれか一項に記載の部屋構造において、
前記間仕切壁２および開口部６ａを有する壁６は天井１ｂに達しない高さに設定されていることを特徴とする。
【００１３】
請求項４に記載の発明によれば、前記間仕切壁２および開口部６ａを有する壁６の上方を空気が通過可能となるので、風通しが良く、部屋１全体の通気性を向上させることができる。
【００１４】
請求項５に記載の発明は、例えば図２に示すように、請求項１〜４のいずれか一項に記載の部屋構造において、
前記壁６の開口部６ａには複数の棚板６０が上下に所定間隔で取り付けられていることを特徴とする。
【００１５】
請求項５に記載の発明によれば、前記壁６の開口部６ａに複数の棚板６０が上下に所定間隔で取り付けられているので、前記開口部６ａを収納棚として使用することができ好ましい。しかも、前記収納部４からも前記小部屋５からも物品を収納することができるので使い勝手が良い。
【発明の効果】
【００１６】
本発明によれば、窓部を開放することで、外部からの空気が小部屋を通過し、該小部屋と連通する居室部と、開口部を通じて収納部とに流入するようになっているので、風通しが良く、部屋全体の通気性を向上させることができる。特に、前記収納部にも外部からの空気が流入するため、前記収納部に衣類等を収納する際に円滑に除湿を行うことが可能となる。
また、前記開口部と前記窓部とが対向して設けられていることから、風通しが良いだけでなく、前記窓部から差し込む日光が前記開口部を通じて前記収納部へと確実に届くようになるので、該収納部の採光性をさらに向上させることが可能となる。
【発明を実施するための最良の形態】
【００１７】
以下、図面を参照して本発明に係る部屋構造の実施の形態について説明する。
【００１８】
本実施の形態の部屋構造は、図１に示すように、部屋１を間仕切壁２によって仕切ることによって、前記部屋１内に、居室部３と収納部４と前記居室部３に連通し、かつ該居室部３より小さい小部屋５とが設けられ、
前記収納部４と小部屋５とは、開口部６ａを有する壁６によって隔てられ、
前記小部屋５に面する壁１ａに、外部と連通する窓部７が設けられている。
【００１９】
前記部屋１は、住宅の一部に配置され、壁パネル１ａを敷設して壁面が形成されており、前記間仕切壁２により仕切られて居室部３と収納部４と前記居室部３に連通し、かつ該居室部３より小さい小部屋５とが設けられている。
なお、本実施の形態の部屋１は、上述のように壁パネル１ａにより壁面が構成され、いわゆるパネル工法によって構築されるが、これに限られるものでなく、従来の軸組工法や壁式工法の木造、鉄骨造、鉄筋コンクリート造等の建物にも適用することができることは言うまでも無い。
【００２０】
前記間仕切壁２は、図１および図３に示すように、前記部屋１を仕切ることにより、前記居室部３と収納部４と小部屋５とを設けるためのものであり、前記居室部３と収納部４との出入り口に引戸２ａが設けられている。
また、この間仕切壁２は、前記引戸２ａを収納するための戸袋２ｂを備えており、前記引戸２ａが前記居室部３側にも前記収納部４側にも出張らないようになっているので、例えば、ベッドや衣装ケース等を前記間仕切壁２に密接させて配置することが可能となる。
さらに、前記間仕切壁２は、天井１ｂに達しない高さに設定されており、この間仕切壁２の上方を空気が通過可能となるので、風通しが良く、部屋１全体の通気性を向上させることができるようになっている。
【００２１】
前記居室部３は、図１に示すように、前記部屋１内における主室であり、例えば、寝室や子供部屋１等に使用される。また、壁面の一部には、他の部屋または廊下との出入り口として開き戸３ａが設けられている。なお、本実施の形態においては開き戸３ａとしたが、これに限られるものではない。
【００２２】
前記収納部４は、前記間仕切壁２を介して前記居室部３に隣接して設けられているとともに、前記開口部６ａを有する壁６を介して前記小部屋５と隣接して設けられている。この収納部４は、本実施の形態では、衣類等を収納するためのクローゼットとして使用されている。
【００２３】
前記小部屋５は、前記居室部３に連通し、かつ該居室部３より小さく形成されており、前記開口部６ａを有する壁６を介して前記収納部４に隣接して設けられている。この小部屋５は、本実施の形態では、化粧台５ａおよび鏡５ｂ、椅子５ｃ等を備えた化粧コーナーとして使用されている。
【００２４】
前記壁６は、開口部６ａを有し、かつ、前記収納部４と小部屋５とを隔てるために設けられており、図２に示すように、天井１ｂに達しない高さに設定されており、この壁６の上方を空気が通過可能となるので、風通しが良く、部屋１全体の通気性を向上させることができるようになっている。
【００２５】
前記開口部６ａは、前記壁６の下端部から上端部まで達する縦長の開口部６ａであり、この開口部６ａには複数の棚板６０が上下に所定間隔で取り付けられている。
このような開口部６ａによれば、外部からの空気が該開口部６ａを介して前記収納部４へ流入しやすく、該収納部４の通気性を向上させることが可能となる。また、前記窓部７から前記小部屋５に向けて差し込む日光が、前記開口部６ａを通じて前記収納部４へと届くようになるので、該収納部４の採光性を向上させることが可能となる。
その上、前記壁６の開口部６ａに複数の棚板６０が上下に所定間隔で取り付けられているので、前記開口部６ａを収納棚として使用することができ好ましい。しかも、前記収納部４からも前記小部屋５からも物品を収納することができるので使い勝手が良い。
【００２６】
前記窓部７は、図１および図２に示すように、前記小部屋５に面する壁１ａに外部と連通して設けられているとともに、前記開口部６ａと対向するようにして設けられており、この窓部７を開放することで部屋１内に外部からの空気が流入するようになり、かつ、この窓部７を介して日光が部屋１内に差し込むようになっている。
【００２７】
なお、前記窓部７の外部には、図１に示すように、バルコニー７０が設けられており、前記部屋１と外部との出入りが可能となっている。
【００２８】
本実施の形態の部屋構造によれば、窓部７を開放することで、外部からの空気が小部屋５を通過し、該小部屋５と連通する居室部３と、開口部６ａを通じて収納部４とに流入するようになっているので、風通しが良く、部屋１全体の通気性を向上させることができる。特に、前記収納部４にも外部からの空気が流入するため、前記収納部４に衣類等を収納する際に円滑に除湿を行うことが可能となる。
そして、前記間仕切壁２および開口部６ａを有する壁６の上方を空気が通過可能となるので、風通しが良く、部屋１全体の通気性を向上させることができる。
また、前記開口部６ａと前記窓部７とが対向して設けられていることから、風通しが良いだけでなく、前記窓部７から差し込む日光が前記開口部６ａを通じて前記収納部４へと確実に届くようになるので、該収納部４の採光性をさらに向上させることが可能となる。
【図面の簡単な説明】
【００２９】
【図１】本発明の部屋構造を示す平面図である。
【図２】収納部から開口部を介して窓部を見た際の斜視図である。
【図３】図１に示す部屋構造のＡ矢視図である。
【符号の説明】
【００３０】
１  部屋
２  間仕切壁
３  居室部
４  収納部
５  小部屋
６  壁
６ａ  開口部
７  窓部
【図１】
2006283466.tif 000003
【図２】
2006283466.tif 000004
【図３】
2006283466.tif 000005